(57)【要約】【課題】ブレーカの着脱操作を容易に行うことができる試験装置を提供すること。【解決手段】試験装置１は、ブレーカ１００の動作試験を行う試験装置であり、異なる種類のブレーカ１００について、動作試験を行うことができるように構成されている。試験装置１は、ブレーカ１００を着脱自在に装着する装着部２２を有する装置本体２と、装置本体２に対して着脱自在に設置され、異なる複数種のブレーカ１００に対応する異なる複数種の１対のアダプタ３と、アクチュエータ４とを備えている。ブレーカ１００の動作試験を行う場合は、そのブレーカ１００に対応する１対のアダプタ３を選択し、装置本体２に設置する。アダプタ３は、アダプタ本体３１と、アダプタ本体３１に対して移動可能に設置された１対の可動ピン３２と、ブレーカ１００から離間する方向に各可動ピン３２を付勢する１対のコイルバネ３３とを有している。【選択図】図１
2011253646.tif 000002
【特許請求の範囲】
【請求項１】
１対の端子を一端側と他端側とにそれぞれ有するブレーカの動作試験を行う試験装置であって、
前記ブレーカを着脱自在に装着する装着部を有する装置本体と、
アダプタ本体と、該アダプタ本体に対して移動可能に設置された導電性を有する１対の可動ピンとを有し、前記装着部を介して互いに対向し、かつ、前記装置本体に対して着脱自在に設置される１対のアダプタと、
前記各可動ピンを移動させるアクチュエータとを備え、
前記各可動ピンは、前記ブレーカの動作試験の際、通電するラインの一部を構成しており、
前記アクチュエータの作動により前記各可動ピンが移動し、該各可動ピンが前記装着部に装着された前記ブレーカの対応する前記各端子にそれぞれ接触し、前記ラインが通電可能となるよう構成されていることを特徴とする試験装置。
【請求項２】
前記各可動ピンにより、前記ブレーカが保持されるよう構成されている請求項１に記載の試験装置。
【請求項３】
前記アクチュエータは、前記装置本体に対して移動可能に設置され、１対の前記アダプタのうちの一方の前記アダプタの１対の前記可動ピンに当接し得る第１の押圧部材と、他方の前記アダプタの１対の前記可動ピンに当接し得る第２の押圧部材とを有し、
前記第１の押圧部材および前記第２の押圧部材を移動させ、前記第１の押圧部材および前記第２の押圧部材により、対応する前記各可動ピンをそれぞれ移動させるよう構成されている請求項１または２に記載の試験装置。
【請求項４】
前記第１の押圧部材は、導電性を有し、互いに絶縁され、前記一方の前記アダプタの１対の前記可動ピンに当接し得る１対の第１の押圧部を有し、
前記第２の押圧部材は、導電性を有し、互いに絶縁され、前記他方の前記アダプタの１対の前記可動ピンに当接し得る１対の第２の押圧部を有する請求項３に記載の試験装置。
【請求項５】
１対の前記第１の押圧部は、一体的に移動し、
１対の前記第２の押圧部は、一体的に移動するよう構成されている請求項４に記載の試験装置。
【請求項６】
１対の前記第１の押圧部および１対の前記第２の押圧部は、前記ラインの一部を構成する請求項４または５に記載の試験装置。
【請求項７】
１対の前記可動ピンの配置が互いに異なる複数種の前記アダプタを有し、それらのアダプタから１種を選択して前記装置本体に設置するよう構成されている請求項４ないし６のいずれかに記載の試験装置。
【請求項８】
１対の前記第１の押圧部は、１対の前記可動ピンに当接する当接面を有し、前記複数種のアダプタのすべてにおいて、１対の前記当接面と１対の前記可動ピンとが当接し、
１対の前記第２の押圧部は、１対の前記可動ピンに当接する当接面を有し、前記複数種のアダプタのすべてにおいて、１対の前記当接面と１対の前記可動ピンとが当接するよう構成されている請求項７に記載の試験装置。
【請求項９】
１対の前記第１の押圧部の１対の前記当接面は、前記複数種のアダプタのすべてにおいて、１対の前記可動ピンに当接するような形状を有し、
１対の前記第２の押圧部の１対の前記当接面は、前記複数種のアダプタのすべてにおいて、１対の前記可動ピンに当接するような形状を有する請求項８に記載の試験装置。
【請求項１０】
前記アクチュエータは、前記各可動ピンを前記ブレーカに接近する方向にのみ移動させるものであり、
前記アダプタは、前記ブレーカから離間する方向に１対の前記可動ピンを付勢する付勢手段を有する請求項１ないし９のいずれかに記載の試験装置。
【請求項１１】
前記ブレーカの前記装着部への装着の有無を検出するセンサを有する請求項１ないし１０のいずれかに記載の試験装置。
【請求項１２】
前記アクチュエータの作動を制御する制御手段を有し、
前記制御手段は、前記センサにより前記ブレーカが前記装着部に装着されたことが検出されると、前記アクチュエータを作動させるよう構成されている請求項１１に記載の試験装置。
【請求項１３】
前記アクチュエータの作動を制御する制御手段を有し、
前記制御手段は、前記センサにより前記ブレーカが前記装着部に装着されたことが検出されると、前記アクチュエータの作動を許可するよう構成されている請求項１１に記載の試験装置。
【発明の詳細な説明】
【技術分野】
【０００１】
本発明は、試験装置に関するものである。
【背景技術】
【０００２】
一般の家庭では、電力会社から分電盤の電流制限器（ブレーカ）を介して電力が供給されている。分電盤には、電流制限器の他、主幹ブレーカ（ブレーカ）や分岐ブレーカ（ブレーカ）等が設けられている。
【０００３】
電流制限器は、電力会社との契約で定めた契約容量を超える電力を使用した場合に動作し、電流を遮断する。これにより、電力会社からは、契約容量を超えない範囲内で電力が供給される。
【０００４】
このようなブレーカに対しては、予め、試験装置により動作を確認する動作試験が行われ、その動作試験に合格したもののみが使用される。
【０００５】
ところで、ブレーカは、動作試験の際に使用される１対の端子を一端側と他端側とにそれぞれ有しており、動作試験の際は、一端側の１対の端子と、他端側の１対の端子とにそれぞれ、試験装置の通電用のラインを接続する。なお、ブレーカの各端子は、それぞれ、ブレーカのケーシングに形成された穴内に設けられている。
【０００６】
従来の試験装置では、ブレーカを装着する装着部は、導電性を有する移動可能な１対のピンを一端側に備え、導電性を有する移動可能な１対のピンを他端側に備えている。各ピンは、それぞれ、通電用のラインと接続されている。また、各ピンは、それぞれ、比較的強力なコイルバネの弾性力により、突出する方向に付勢されている。したがって、各ピンは、それぞれ、そのピンを押圧すると、引っ込み、その押圧を解除すると、コイルバネの付勢力で元の位置に戻る。
【０００７】
ブレーカの動作試験において、そのブレーカを試験装置の装着部に装着する際は、まず、ブレーカの一端側の１対の端子が設けられている穴内に、装着部の一端側の１対のピンを挿入し、ブレーカでその１対のピンを押圧して引っ込ませ、この状態で、ブレーカの他端側の１対の端子が設けられている穴内に、装着部の他端側の１対のピンを挿入する。
【０００８】
しかしながら、前記従来の試験装置では、ブレーカの着脱操作に手間と時間を要するという欠点がある。特に、各ピンを付勢するコイルバネの弾性力が強いので、女性にとっては、ブレーカの着脱操作に多大な手間と時間を要する。
【先行技術文献】
【特許文献】
【０００９】
【特許文献１】特開平１０−２１５５０８号公報
【発明の概要】
【発明が解決しようとする課題】
【００１０】
本発明の目的は、ブレーカの着脱操作を容易に行うことができる試験装置を提供することにある。
【課題を解決するための手段】
【００１１】
このような目的は、下記（１）〜（１３）の本発明により達成される。
（１）  １対の端子を一端側と他端側とにそれぞれ有するブレーカの動作試験を行う試験装置であって、
前記ブレーカを着脱自在に装着する装着部を有する装置本体と、
アダプタ本体と、該アダプタ本体に対して移動可能に設置された導電性を有する１対の可動ピンとを有し、前記装着部を介して互いに対向し、かつ、前記装置本体に対して着脱自在に設置される１対のアダプタと、
前記各可動ピンを移動させるアクチュエータとを備え、
前記各可動ピンは、前記ブレーカの動作試験の際、通電するラインの一部を構成しており、
前記アクチュエータの作動により前記各可動ピンが移動し、該各可動ピンが前記装着部に装着された前記ブレーカの対応する前記各端子にそれぞれ接触し、前記ラインが通電可能となるよう構成されていることを特徴とする試験装置。
【００１２】
（２）  前記各可動ピンにより、前記ブレーカが保持されるよう構成されている上記（１）に記載の試験装置。
【００１３】
（３）  前記アクチュエータは、前記装置本体に対して移動可能に設置され、１対の前記アダプタのうちの一方の前記アダプタの１対の前記可動ピンに当接し得る第１の押圧部材と、他方の前記アダプタの１対の前記可動ピンに当接し得る第２の押圧部材とを有し、
前記第１の押圧部材および前記第２の押圧部材を移動させ、前記第１の押圧部材および前記第２の押圧部材により、対応する前記各可動ピンをそれぞれ移動させるよう構成されている上記（１）または（２）に記載の試験装置。
【００１４】
（４）  前記第１の押圧部材は、導電性を有し、互いに絶縁され、前記一方の前記アダプタの１対の前記可動ピンに当接し得る１対の第１の押圧部を有し、
前記第２の押圧部材は、導電性を有し、互いに絶縁され、前記他方の前記アダプタの１対の前記可動ピンに当接し得る１対の第２の押圧部を有する上記（３）に記載の試験装置。
【００１５】
（５）  １対の前記第１の押圧部は、一体的に移動し、
１対の前記第２の押圧部は、一体的に移動するよう構成されている上記（４）に記載の試験装置。
【００１６】
（６）  １対の前記第１の押圧部および１対の前記第２の押圧部は、前記ラインの一部を構成する上記（４）または（５）に記載の試験装置。
【００１７】
（７）  １対の前記可動ピンの配置が互いに異なる複数種の前記アダプタを有し、それらのアダプタから１種を選択して前記装置本体に設置するよう構成されている上記（４）ないし（６）のいずれかに記載の試験装置。
【００１８】
（８）  １対の前記第１の押圧部は、１対の前記可動ピンに当接する当接面を有し、前記複数種のアダプタのすべてにおいて、１対の前記当接面と１対の前記可動ピンとが当接し、
１対の前記第２の押圧部は、１対の前記可動ピンに当接する当接面を有し、前記複数種のアダプタのすべてにおいて、１対の前記当接面と１対の前記可動ピンとが当接するよう構成されている上記（７）に記載の試験装置。
【００１９】
（９）  １対の前記第１の押圧部の１対の前記当接面は、前記複数種のアダプタのすべてにおいて、１対の前記可動ピンに当接するような形状を有し、
１対の前記第２の押圧部の１対の前記当接面は、前記複数種のアダプタのすべてにおいて、１対の前記可動ピンに当接するような形状を有する上記（８）に記載の試験装置。
【００２０】
（１０）  前記アクチュエータは、前記各可動ピンを前記ブレーカに接近する方向にのみ移動させるものであり、
前記アダプタは、前記ブレーカから離間する方向に１対の前記可動ピンを付勢する付勢手段を有する上記（１）ないし（９）のいずれかに記載の試験装置。
【００２１】
（１１）  前記ブレーカの前記装着部への装着の有無を検出するセンサを有する上記（１）ないし（１０）のいずれかに記載の試験装置。
【００２２】
（１２）  前記アクチュエータの作動を制御する制御手段を有し、
前記制御手段は、前記センサにより前記ブレーカが前記装着部に装着されたことが検出されると、前記アクチュエータを作動させるよう構成されている上記（１１）に記載の試験装置。
【００２３】
（１３）  前記アクチュエータの作動を制御する制御手段を有し、
前記制御手段は、前記センサにより前記ブレーカが前記装着部に装着されたことが検出されると、前記アクチュエータの作動を許可するよう構成されている上記（１１）に記載の試験装置。
【発明の効果】
【００２４】
本発明によれば、ブレーカの着脱操作を容易に行うことができる。特に、アクチュエータの作動により各可動ピンが移動し、各可動ピンがブレーカの対応する各端子にそれぞれ接触し、動作試験を実行し得る状態となるので、ブレーカの装着を容易に行うことができる。
【図面の簡単な説明】
【００２５】
【図１】本発明の試験装置の実施形態を示す平面図である。
【図２】図１に示す試験装置の側面図である。
【図３】図１に示す試験装置の装置本体を示す平面図である。
【図４】図１に示す試験装置の装置本体を示す側面図である。
【図５】図１に示す試験装置のアダプタを示す図である。
【図６】図１に示す試験装置により動作試験が行われるブレーカを示す図である。
【図７】図１に示す試験装置の動作試験時の状態を示す平面図である。
【図８】図１に示す試験装置の動作試験時の状態を示す側面図である。
【図９】図１に示す試験装置の主要部を示すブロック図である。
【図１０】図１に示す試験装置に他のアダプタおよび他のブレーカを装着した状態を示す平面図である。
【図１１】図１に示す試験装置に他のアダプタおよび他のブレーカを装着した状態を示す平面図である。
【発明を実施するための形態】
【００２６】
以下、本発明の試験装置を添付図面に示す好適な実施形態に基づいて詳細に説明する。
なお、本発明は、各種のブレーカの動作試験を行う各種の試験装置に適用することができるが、下記の実施形態では、代表的に、ブレーカが電流制限器の場合、すなわち本発明を電流制限器の動作試験を行う試験装置に適用した場合について説明する。
【００２７】
図１は、本発明の試験装置の実施形態を示す平面図、図２は、図１に示す試験装置の側面図、図３は、図１に示す試験装置の装置本体を示す平面図、図４は、図１に示す試験装置の装置本体を示す側面図、図５は、図１に示す試験装置のアダプタを示す図、図６は、図１に示す試験装置により動作試験が行われるブレーカを示す図、図７は、図１に示す試験装置の動作試験時の状態を示す平面図、図８は、図１に示す試験装置の動作試験時の状態を示す側面図、図９は、図１に示す試験装置の主要部を示すブロック図、図１０は、図１に示す試験装置に他のアダプタおよび他のブレーカを装着した状態を示す平面図、図１１は、図１に示す試験装置に他のアダプタおよび他のブレーカを装着した状態を示す平面図である。
【００２８】
なお、以下では、図１、図３、図７、図１０、図１１中の左側を「左」、右側を「右」、上側を「上」、下側を「下」とし、図２、図４、図８中の左側を「左」、右側を「右」、上側を「上」、下側を「下」として説明を行う。また、各図では、一部に断面を示す場合もある。また、図１、図２、図７、図８、図１０、図１１では、ケーシングの図示は省略されている。
【００２９】
各図に示す試験装置１は、電流制限器であるブレーカ１００の動作試験を行う試験装置であり、異なる種類（図示の構成では３種）のブレーカ１００ａ（図１、図６参照）、１００ｂ（図１０参照）、１００ｃ（図１１参照）のそれぞれについて、動作試験を行うことができるように構成されている。ブレーカ１００ａ、１００ｂ、１００ｃは、互いに、契約するアンペア数の異なるものである。
【００３０】
以下では、ブレーカ１００ａ、ブレーカ１００ｂ、ブレーカ１００ｃを総称する場合には、「ブレーカ１００」と言い、区別して言う場合には、「ブレーカ１００ａ」、「ブレーカ１００ｂ」、「ブレーカ１００ｃ」と言う。
【００３１】
図１、図２および図６に示すブレーカ１００ａは、単３、４０〜６０Ａ用のものであり、一端側に１対の端子１０１、１０２を有し、他端側に１対の端子１０３、１０４を有している。また、ブレーカ１００ａは、端子１０１と端子１０２との間に端子１０５を有し、端子１０３と端子１０４との間に端子１０６を有している。端子１０１〜１０４は、動作試験で使用され、また、端子１０５および１０６は、動作試験では使用されない。
【００３２】
次に、端子１０１〜１０６について説明するが、その端子１０１〜１０６の構成は同様であるので、代表的に、端子１０１を説明する。
【００３３】
端子１０１は、導電性を有しており、導電性を有するネジ孔１０７およびそのネジ孔１０７に螺合する導電性を有するネジ１０８とを備えている。また、側方には、前記ネジ孔１０７に連通する穴部１０９が形成されている。なお、動作試験の際は、ネジ１０８をネジ孔１０７に螺合した状態とする。
【００３４】
ブレーカ１００ｂは、単３、２０〜３０Ａ用のものであり、また、ブレーカ１００ｃは、単２、５〜３０Ａ用のものである。ブレーカ１００ａ〜ｃは、互いに、一方の１対の端子１０１、１０２の間隔(配置)、他方の１対の端子１０３、１０４の間隔(配置)等、所定の各部の寸法が異なっている。但し、ブレーカ１００ｂおよび１００ｃと、ブレーカ１００ａとは、端子の数、寸法等が異なるのみであるので、ブレーカ１００ｂおよび１００ｃについては、その説明を省略する。
【００３５】
図１および図２に示すように、試験装置１は、装置本体２と、装置本体２に対して着脱自在に設置され、異なる複数種（図示の構成では３種）のブレーカ１００ａ、１００ｂおよび１００ｃに対応する異なる複数種（図示の構成では３種）の１対のアダプタ３ａ（図１、図５参照）、３ｂ（図１０参照）および３ｃ（図１１参照）と、アクチュエータ４とを備えている。ブレーカ１００ａの動作試験を行う場合は、１対のアダプタ３ａを選択し、ブレーカ１００ｂの動作試験を行う場合は、１対のアダプタ３ｂを選択し、ブレーカ１００ｃの動作試験を行う場合は、１対のアダプタ３ｃを選択し、それぞれ、装置本体２に設置する。
【００３６】
なお、アダプタ３ａ〜３ｃとは、互いに、後述する１対の可動ピン３２の間隔（配置）等、所定の各部の寸法が異なっている。
【００３７】
以下では、アダプタ３ａ、アダプタ３ｂ、アダプタ３ｃを総称する場合には、「アダプタ３」と言い、区別して言う場合には、「アダプタ３ａ」、「アダプタ３ｂ」、「アダプタ３ｃ」と言う。
【００３８】
また、以下では、代表的に、試験装置１に、ブレーカ１００ａを装着し、ブレーカ１００ａの動作試験を行う場合について説明する。また、各部の位置関係は、１対のアダプタ３ａおよびブレーカ１００ａを装置本体２に取り付けた状態で説明する。
【００３９】
図１〜図４に示すように、装置本体２は、平面視でほぼ長方形の基板２１と、基板２１上の中央部に設けられ、ブレーカ１００ａを着脱自在に装着する装着部２２とを有している。
【００４０】
ブレーカ１００ａは、穴部１０９の方向が基板２１の長手方向（図１中の上下方向）となるように、装着部２２に装着される。
【００４１】
基板２１の装着部２２の図１中下側には、一方のアダプタ３ａを装置本体２に設置する際のそのアダプタ３ａの位置決め用の１対のピン２３が、図１の紙面に垂直な方向に向って立設されている。同様に、基板２１の装着部２２の図１中上側には、他方のアダプタ３ａを装置本体２に設置する際のそのアダプタ３ａの位置決め用の１対のピン２３が、図１の紙面に垂直な方向に向って立設されている。
【００４２】
また、装着部２２の裏面側には、その装着部２２へのブレーカ１００ａの装着の有無を検出するタッチセンサ（センサ）６１が設置されている。
【００４３】
１対のアダプタ３ａは、装置本体２に、装着部２２を介して互いに対向するように設置される。この場合、一方のアダプタ３ａは、ブレーカ１００ａの１対の端子１０１、１０２側に位置し、他方のアダプタ３ａは、ブレーカ１００ａの１対の端子１０３、１０４側に位置する。
【００４４】
次に、各アダプタ３ａについて説明するが、各アダプタ３ａの構成は、同様であるので、代表的に、一方（図１中下側）のアダプタ３ａを説明する。
【００４５】
図１、図２および図５に示すように、アダプタ３ａは、アダプタ本体３１と、アダプタ本体３１に対して移動可能に設置された１対の可動ピン３２と、ブレーカ１００ａから離間する方向に各可動ピン３２を付勢する１対のコイルバネ（付勢手段）３３とを有している。
【００４６】
アダプタ本体３１は、平面視で、コ字状をなしている。このアダプタ本体３１には、図１および図５中の上下方向に延在し、アダプタ本体３１を貫通する１対の孔部３１１が形成されている。一方の孔部３１１は、ブレーカ１００ａの端子１０１のネジ孔１０７に貫通する穴部１０９に対応する位置に、その穴部１０９と同じ方向に形成さている。すなわち、一方の孔部３１１は、端子１０１のネジ孔１０７に貫通する穴部１０９と同軸上に形成されている。また、他方の孔部３１１は、ブレーカ１００ａの端子１０２のネジ孔１０７に貫通する穴部１０９に対応する位置に、その穴部１０９と同じ方向に形成さている。すなわち、一方の孔部３１１は、端子１０２のネジ孔１０７に貫通する穴部１０９と同軸上に形成されている。
【００４７】
そして、各孔部３１１内には、それぞれ、可動ピン３２が挿入されている。各可動ピン３２は、それぞれ、途中に大径部３２１を有し、その大径部３２１は、孔部３１１内に位置し、その孔部３１１よりも図１および図５中下側の部位は、アダプタ本体３１の外側に突出している。また、各可動ピン３２の孔部３１１よりも図１および図５中上側の部位は、それぞれ、孔部３１１内に位置している。
【００４８】
また、各コイルバネ３３は、それぞれ、大径部３２１と、アダプタ本体３１の大径部３２１よりも図１および図５中上側の部位に形成された段差部３１２との間に、収縮した状態で設置されている。これによって、各可動ピン３２は、それぞれ、コイルバネ３３により、図１および図５中下側、すなわち、ブレーカ１００ａから離間する方向に付勢される。
【００４９】
後述するアクチュエータ４は、各可動ピン３２をブレーカ１００ａに接近する方向にのみ移動させるものであるので、各可動ピン３２は、アクチュエータ４の作動によりブレーカ１００ａに接近する方向に移動した後、アクチュエータ４が逆方向に作動すると、コイルバネ３３の弾性力（付勢力）により、ブレーカ１００ａから離間する方向に移動し、元の位置に戻る。
【００５０】
また、各可動ピン３２は、それぞれ、導電性を有し、ブレーカ１００ａの動作試験の際、通電するラインの一部を構成する。また、各可動ピン３２は、互いに離間し、アダプタ本体３１が絶縁性を有することで、互いに絶縁されている。
【００５１】
また、アダプタ本体３１の図１および図５中の左右方向の両端部には、それぞれ、位置決め用の孔部３１３が形成されている。この孔部３１３は、図１および図５の紙面に垂直な方向に延在し、アダプタ本体３１を貫通している。アダプタ３ａを装置本体２に設置する際は、装置本体２の１対のピン２３を、前記１対の孔部３１３に挿通させる。
【００５２】
また、各孔部３１３の近傍には、それぞれ、ボールプランジャ３４が設置されている。これにより、前記装置本体２の１対のピン２３の１対の孔部３１３への挿通を円滑に行うことができる。
【００５３】
図１〜図４に示すように、アクチュエータ４は、各可動ピン３２を移動させる手段である。このアクチュエータ４は、一方のアダプタ３ａの各可動ピン３２を移動させる移動機構４０と、他方のアダプタ３ａの各可動ピン３２を移動させる移動機構４０とで構成されている。なお、各移動機構４０の構成は、同様であるので、代表的に、一方（図２中右側）の移動機構４０を説明する。
【００５４】
移動機構４０は、エアシリンダ４１と、エアシリンダ４１のピストンロッド４１１に固定され、装置本体２に対して移動可能なスライダ４２と、スライダ４２に固定され、装置本体２に対して移動可能な１対の押圧部（第１の押圧部）４３と、スライダに固定され、装置本体２に対して移動可能なガイドロッド４４とを有している。これらスライダ４２、各押圧部４３およびガイドロッド４４は、ピストンロッド４１１共に、一体的に、ブレーカ１００ａに対し、接近・離間する方向に移動する。
【００５５】
エアシリンダ４１は、基板２１の図２中下側であって、アダプタ３ａの下方に設置されている。また、基板２１の図２中下側には、支持部２４が設置されており、ガイドロッド４４は、この支持部２４に、移動可能に支持されている。
【００５６】
また、スライダ４２は、基板２１の図２中の上下に亘って延在している。また、各押圧部４３は、それぞれ、スライダ４２の図２中の上側で、各可動ピン３２に対応する位置に配置されている。
【００５７】
このように、移動機構４０の全体形状は、側面視で、コ字状をなしている。これにより、移動機構４０を小型化することができ、試験装置１全体を小型化することができる。
【００５８】
また、各押圧部４３は、それぞれ、各可動ピン３２に当接し得るよう構成されている。すなわち、各押圧部４３は、それぞれ、各可動ピン３２に当接する当接面４３１を有しており、３種のアダプタ３ａ〜３ｃのすべてにおいて、１対の当接面４３１と１対の可動ピン３２とが当接するよう構成されている。本実施形態では、１対の第１の押圧部４３の１対の当接面４３１は、３種のアダプタのすべてにおいて、１対の可動ピン３２に当接するような形状を有している。
【００５９】
また、基板２１の下側には、エアシリンダ４１に圧縮空気を供給する図示しない流路を開閉する所定数の電磁弁６４が設置されている。なお、図面には、電磁弁６４は、代表的に、１個のみ図示されている。
【００６０】
エアシリンダ４１が作動し、ピストンロッド４１１が移動すると、そのピストンロッド４１１と共に、スライダ４２、各押圧部４３およびガイドロッド４４は、一体的に、ブレーカ１００ａに対して接近・離間する方向に移動する。この際、ガイドロッド４４により、スライダ４２は安定して移動することができる。
【００６１】
また、各押圧部４３は、それぞれ、導電性を有し、ブレーカ１００ａの動作試験の際、通電するラインの一部を構成する。また、各押圧部４３は、互いに離間し、スライダ４２が絶縁性を有することで、互いに絶縁されている。この１対の押圧部（第１の押圧部）４３により、一方のアダプタ３ａの１対の可動ピン３２に当接し得る第１の押圧部材が構成される。なお、説明を省略した他方（図２中左側）の移動機構４０の１対の押圧部（第２の押圧部）４３により、他方のアダプタ３ａの１対の可動ピン３２に当接し得る第２の押圧部材が構成される。
【００６２】
また、各押圧部４３には、それぞれ、導電性を有する長尺状の導電部材５１が接続されている。これらの導電部材５１は、ブレーカ１００ａの動作試験の種類に応じて、適宜選択され、ブレーカ１００ａの図示しない動作試験用の回路に接続される。
【００６３】
また、図９に示すように、試験装置１は、制御部（制御手段）６２と、ブレーカ１００ａを取り外す際にエアシリンダ４１を作動させるスイッチ６３とを有している。
【００６４】
制御部６２は、タッチセンサ６１、スイッチ６３から入力される信号（情報）に基づいて、電磁弁６４（アクチュエータ４）等、試験装置１全体の作動を制御する。制御部６２としては、例えば、マイクロコンピュータ等を用いることができる。
【００６５】
本実施形態では、制御部６２は、タッチセンサ６１によりブレーカ１００ａが装着部２２に装着されたことが検出されると、アクチュエータ４を作動させるよう構成されている。
【００６６】
なお、これに限らず、例えば、制御部６２は、タッチセンサ６１によりブレーカ１００ａが装着部２２に装着されたことが検出されると、アクチュエータ４の作動を許可するよう構成することもできる。この場合、例えば、所定の操作スイッチを操作すると、アクチュエータ４が作動するよう構成する。
【００６７】
また、試験装置１は、本体部に設置されたアダプタ３の種類に対し、誤った種類のブレーカ１００を装着することを阻止する装着阻止手段を有していることが好ましい。この構成例としては、例えば、ブレーカ１００とそのブレーカ１００に対応するアダプタ３とで、ブレーカ１００の色と、アダプタ３の色とを対応させる。特に、ブレーカ１００の所定部位の色と、アダプタ３の所定部位の色とを同一にする。
【００６８】
また、他の構成例としては、ブレーカ１００とそのブレーカ１００に対応するアダプタ３との組み合わせの場合のみに、ブレーカ１００を装着し得るように、ブレーカ１００やアダプタ３等の所定部位に凹凸等を設ける。
【００６９】
次に、試験装置１の作用を説明する。
ブレーカ１００ａの動作試験を行う場合は、図１および図２に示すように、３種の１対のアダプタ３ａ〜３ｃのうちから、ブレーカ１００ａに対応する１対のアダプタ３ａを選択し、その各アダプタ３ａを装置本体２の装着部２２設置する。この場合、各アダプタ３ａについて、それぞれ、各孔部３１１内に装置本体２の各ピン２３を挿入する。これにより、各アダプタ３ａは、装着部２２に、位置決めされるとともに、保持される。
【００７０】
なお、ブレーカ１００ｂの動作試験を行う場合は、図１０に示すように、ブレーカ１００ｂに対応する１対のアダプタ３ｂを選択し、その各アダプタ３ｂを装置本体２の装着部２２に設置する。また、ブレーカ１００ｃの動作試験を行う場合は、図１１に示すように、ブレーカ１００ｃに対応する１対のアダプタ３ｃを選択し、その各アダプタ３ｃを装置本体２の装着部２２に設置する。
【００７１】
次いで、ブレーカ１００ａを装置本体２の装着部２２に装着する。この際、タッチセンサ６１により、装置本体２の装着部２２にブレーカ１００ａが装着されたことが検出される。この情報は、制御部６２に送出され、制御部６２は、所定の電磁弁６４を開く。これにより、図６および図７に示すように、各移動機構４０のエアシリンダ４１の所定部位に圧縮空気が供給され、各エアシリンダ４１のピストンロッド４１１が収縮する方向に移動する。
【００７２】
これにより、一方の移動機構４０のスライダ４２および各押圧部４３が可動ピン３２に接近する方向に移動し、各押圧部４３により、各可動ピン３２が各コイルバネ３３の付勢力に抗して各端子１０１、１０２に接近する方向に移動し、各可動ピン３２は、ブレーカ１００ａの各穴部１０９内に挿入され、各端子１０１、１０２の各ネジ１０８に接触する。
【００７３】
同様に、他方の移動機構４０のスライダ４２および各押圧部４３が可動ピン３２に接近する方向に移動し、各押圧部４３により、各可動ピン３２が各コイルバネ３３の付勢力に抗して各端子１０３、１０４に接近する方向に移動し、各可動ピン３２は、ブレーカ１００ａの各穴部１０９内に挿入され、各端子１０３、１０４の各ネジ１０８に接触する。
【００７４】
これにより、ブレーカ１００ａの動作試験の際、通電するラインが通電可能となる。また、４つの可動ピン３２により、ブレーカ１００ａが保持される。以上で、動作試験の準備が完了する。
【００７５】
次いで、ブレーカ１００ａの動作試験を行う。この動作試験では、図示しない動作試験用の回路により、４つの導電部材５１のうちの所定の端子に電流を流し、所定の電流値においてブレーカ１００ａが落ちる（切れる）か否か、すなわち、電流の遮断動作が生じる否かを検査する。
【００７６】
なお、この動作試験は、ブレーカ１００ａを１個ずつ行うこともでき、また、試験装置１を複数個、直列に接続し、複数のブレーカ１００ａを同時に行うこともできる。
【００７７】
動作試験が終了すると、スイッチ６３を操作し、そのスイッチ６３をオンする。これにより、この情報は、制御部６２に送出され、制御部６２は、所定の電磁弁６４を開く。これにより、図１および図２に示すように、各移動機構４０のエアシリンダ４１の所定部位に圧縮空気が供給され、各エアシリンダ４１のピストンロッド４１１が伸長する方向に移動する。
【００７８】
これにより、一方の移動機構４０のスライダ４２および各押圧部４３が可動ピン３２から離間する方向に移動する。各可動ピン３２は、各コイルバネ３３の弾性力により各端子１０１、１０２から離間する方向に移動する。これにより、各可動ピン３２は、各端子１０１、１０２から離間する。
【００７９】
同様に、他方の移動機構４０のスライダ４２および各押圧部４３が可動ピン３２から離間する方向に移動する。各可動ピン３２は、各コイルバネ３３の弾性力により各端子１０３、１０４から離間する方向に移動する。これにより、各可動ピン３２は、各端子１０３、１０４から離間する。
【００８０】
これにより、４つの可動ピン３２によるブレーカ１００ａの保持が解除され、装着部２２からブレーカ１００ａを取り外すことが可能となる。
【００８１】
次いで、ブレーカ１００ａを装置本体２の装着部から取り外す。なお、続いて、他のブレーカ１００ａの動作試験を行う場合は、前記と同様にして行う。
【００８２】
以上説明したように、この試験装置１によれば、ブレーカ１００の着脱操作を容易に行うことができる。
【００８３】
すなわち、ブレーカ１００を装着部２２に装着する場合は、ブレーカ１００を装着部２２に装着すると、タッチセンサ６１がそれを検出し、各エアシリンダ４１が作動するので、容易かつ迅速に、動作試験の準備を行うことができる。
【００８４】
そして、動作試験が終了した後は、スイッチ６３を操作すると、各エアシリンダ４１が作動するので、容易かつ迅速に、ブレーカ１００を装着部２２から取り外すことができる。
【００８５】
以上、本発明の試験装置を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【００８６】
また、前記実施形態では、アクチュエータの駆動源として、エアシリンダを用いているが、本発明では、これに限らず、例えば、モータ等を用いてもよい。
【００８７】
また、前記実施形態では、導電部材５１が、動作試験用の回路に接続されるように構成されているが、本発明では、これに限らず、例えば、アダプタの可動ピンが、動作試験用の回路に接続されるように構成されていてもよい。この場合は、押圧部は、導電性を有していなくてもよい。
【符号の説明】
【００８８】
１              試験装置
２              装置本体
２１            基板
２２            装着部
２３            ピン
２４            支持部
３、３ａ、３ｂ、３ｃ  アダプタ
３１            アダプタ本体
３１１          孔部
３１２          段差部
３１３          孔部
３２            可動ピン
３２１          大径部
３３            コイルバネ
３４            ボールプランジャ
４              アクチュエータ
４０            移動機構
４１            エアシリンダ
４１１          ピストンロッド
４２            スライダ
４３            押圧部
４３１          当接面
４４            ガイドロッド
５１            導電部材
６１            タッチセンサ
６２            制御部
６３            スイッチ
６４            電磁弁
１００、１００ａ、１００ｂ、１００ｃ  ブレーカ
１０１〜１０６  端子
１０７          ネジ孔
１０８          ネジ
１０９          穴部
【図１】
2011253646.tif 000003
【図２】
2011253646.tif 000004
【図３】
2011253646.tif 000005
【図４】
2011253646.tif 000006
【図５】
2011253646.tif 000007
【図６】
2011253646.tif 000008
【図７】
2011253646.tif 000009
【図８】
2011253646.tif 000010
【図９】
2011253646.tif 000011
【図１０】
2011253646.tif 000012
【図１１】
2011253646.tif 000013